(57)【要約】【課題】本発明は、使用者認証カードに対応する暗号化値を生成して、該生成された暗号化値に基づいて移動通信端末機の使用可否を決定することで、移動通信端末機の不正使用を防止し得る移動通信端末機の使用制限設定方法を提供する。【解決手段】本発明に係る移動通信端末機の使用制限設定方法においては、使用者認証カードに対応する暗号化値を生成して該生成された暗号化値に基づいて移動通信端末機の使用可否を決定する段階を行うことを特徴とする。【選択図】  図１
2005223900.tif 000002
【特許請求の範囲】
【請求項１】
使用者認証カードに対応する暗号化値を生成して該生成された暗号化値に基づいて移動通信端末機の使用可否を決定する段階を包含することを特徴とする移動通信端末機の使用制限設定方法。
【請求項２】
前記使用者認証カードは、
SIM(Subscriber  Identity  Module)、USIM(Universal  Subscriber  Identity  Module)、UIM(User  Identity  Module)及びRUIM(Removable  User  Identity  Module)カードの中で一つであることを特徴とする請求項１記載の移動通信端末機の使用制限設定方法。
【請求項３】
前記暗号化値は、
前記各使用者認証カードのESN(Electronic  Serial  Number)とIMSI(Internal  Mobile  Station  Identity)値を該当移動通信端末機の固有番号(Serial  Number)に夫々マスクし、該マスクされたESN値、前記マスクされたIMSI値及びチェックサムビットを合算することで生成されることを特徴とする請求項１記載の移動通信端末機の使用制限設定方法。
【請求項４】
使用者認証カードに対応する暗号化値を生成して該生成された暗号化値が登録暗号化値リストにあるかを確認する段階と、
前記暗号化値が前記登録暗号化値リストに存在することなく、禁止暗号化値リストに無い時、前記暗号化値を前記登録暗号化値リストに貯蔵した後に移動通信端末機を第１ロッキングモードに設定して紛失端末機の登録メッセージを発信する段階と、
該伝送された紛失端末機の登録メッセージに基づいて前記移動通信端末機を第２ロッキングモードに設定するためのメッセージを伝送する段階と、を順次行うことを特徴とする移動通信端末機の使用制限設定方法。
【請求項５】
前記使用者認証カードは、
SIM(Subscriber  Identity  Module)、USIM(Universal  Subscriber  Identity  Module)、UIM(User  Identity  Module)及びRUIM(Removable  User  Identity  Module)カードの中で一つであることを特徴とする請求項４記載の移動通信端末機の使用制限設定方法。
【請求項６】
前記確認する段階は、
前記使用者認証カードのESN(Electronic  Serial  Number)とIMSI(Internal  Mobile  StationIdentity)値を検出して前記移動通信端末機の固有番号(Serial  Number)を検出する段階と、
該検出されたESN値、IMSI値及び固有番号に基づいて前記暗号化値を生成する段階と、を順次行うことを特徴とする請求項４記載の移動通信端末機の使用制限設定方法。
【請求項７】
前記暗号化値は、
前記使用者認証カードのESN値とIMSI値を該当移動通信端末機の固有番号に夫々マスクし、該マスクされたESN値とIMSI値及びチェックサムビットを合算することで生成されることを特徴とする請求項６記載の移動通信端末機の使用制限設定方法。
【請求項８】
前記暗号化値は、
前記移動通信端末機内の臨時暗号化値リスト、登録暗号化値リスト及び禁止暗号化値リストの中で一つに貯蔵されることを特徴とする請求項４記載の移動通信端末機の使用制限設定方法。
【請求項９】
前記確認する段階は、
前記生成された暗号化値が前記登録暗号化値リストにある時、前記使用者認証カードが装着された移動通信端末機が正常的に使われることを特徴とする請求項４記載の移動通信端末機の使用制限設定方法。
【請求項１０】
前記確認する段階は、
前記暗号化値が前記登録暗号化値リストに存在することなく、禁止暗号化値リストにある時、前記移動通信端末機を第２ロッキングモードに設定することを特徴とする請求項４記載の移動通信端末機の使用制限設定方法。
【請求項１１】
前記第１ロッキングモードは、前記使用者認証カードを前記移動通信端末機に登録するための機能のみが可能な状態であって、前記第２ロッキングモードは、前記使用者認証カードが装着された移動通信端末機の全機能を使用し得ない状態を示したことを特徴とする請求項１０記載の移動通信端末機の使用制限設定方法。
【請求項１２】
前記伝送する段階は、
該伝送された紛失端末機の登録メッセージに基づいて前記使用者認証カードのESN値とIMSI値を演算する段階と、
該演算されたESN値とIMSI値とデータベースに予め貯蔵された移動通信端末機の情報に基づいて前記移動通信端末機の紛失可否を判断する段階と、
該判断結果によって前記移動通信端末機の使用可否を決定するメッセージを伝送する段階と、を順次行うことを特徴とする請求項４記載の移動通信端末機の使用制限設定方法。
【請求項１３】
前記紛失端末機の登録メッセージは、
前記移動通信端末機の固有番号及び前記移動通信端末機に装着された使用者認証カードに対応する暗号化値を包含することを特徴とする請求項１２記載の移動通信端末機の使用制限設定方法。
【請求項１４】
前記伝送する段階は、
前記移動通信端末機が紛失された時、前記移動通信端末機を第２ロッキングモードに設定するようにするメッセージを伝送し、前記移動通信端末機が紛失されなかった時に該移動通信端末機の全機能を使わせるメッセージを伝送することを特徴とする請求項１２記載の移動通信端末機の使用制限設定方法。
【請求項１５】
受信されたメッセージが紛失端末機の登録メッセージであるかを確認して該確認された紛失端末機の登録メッセージを伝送するSMS(Short  Message  Service)センターと、
前記伝送された紛失端末機の登録メッセージと紛失された移動通信端末機の情報に基づいて前記移動通信端末機の使用可否を決定する紛失管理サーバーと、を包含して構成されることを特徴とする移動通信端末機の使用制限設定装置。
【請求項１６】
前記紛失端末機の登録メッセージを発信する使用者認証カードが装着された移動通信端末機を更に包含して構成されることを特徴とする請求項１５記載の移動通信端末機の使用制限設定装置。
【請求項１７】
前記紛失端末機の登録メッセージは、
前記移動通信端末機の固有番号及び前記移動通信端末機に装着された使用者認証カードに対応する暗号化値を包含して構成されることを特徴とする請求項１６記載の移動通信端末機の使用制限設定方法。
【請求項１８】
前記使用者認証カードは、
SIM(Subscriber  Identity  Module)、USIM(Universal  Subscriber  Identity  Module)、UIM(User  Identity  Module)及びRUIM(Removable  User  Identity  Module)カードの中で一つであることを特徴とする請求項１７記載の移動通信端末機の使用制限設定方法。
【請求項１９】
前記紛失管理サーバーは、
前記紛失された移動通信端末機の情報を貯蔵するデータベースを包含して構成されることを特徴とする請求項１５記載の移動通信端末機の使用制限設定方法。
【発明の詳細な説明】
【技術分野】
【０００１】
本発明は、移動通信端末機に係るもので、詳しくは、移動通信端末機の使用制限設定装置及びその方法に関するものである。
【背景技術】
【０００２】
一般に、移動通信端末機は、BS(Base Station;BS)により形成されるサービス領域の中で移動しながらMSC(Mobile  Switching  Center;MSC）のスイッチング制御によっていつどこででも直ちに相手を無線呼び出し及び無線接続して通信し得る装置であって、音声通信だけではなく、記号、数字、文字等から成るデータ通信及び映像信号が包含されるマルチメディア通信が可能である。
【０００３】
このような移動通信端末機の不正使用を防止するため、前記移動通信端末機の使用を制限するための多様な方法が使われている。
【０００４】
以下、このような従来の移動通信端末機の使用制限設定方法に対して説明する。
【０００５】
先ず、前記移動通信端末機に秘密番号を設定する従来の移動通信端末機の使用制限設定方法は一番普遍化されている方法であるが、使用者が移動通信端末機に秘密番号を予め設定し、移動通信端末機をブーティングする度に、いつも該秘密番号を入力する手続きを行わなければならないし、且つ、前記移動通信端末機のハッキング等により該秘密番号が知らされた場合には対応し得無いという不都合な点があった。
【０００６】
使用者認証カードであるSIM(Subscriber  Identity  Module)、USIM(Universal  Subscriber  Identity  Module)、UIM(User  Identity  Module)及びRUIM(Removable  User  Identity  Module)を使用した従来の移動通信端末機の使用制限設定方法は、使用者により入力された秘密番号と前記使用者認証カードに貯蔵された情報との組合が正しい場合のみに前記移動通信端末機を使用し得る方法であって、このような方法は、紛失された移動通信端末機の秘密番号が漏洩されても他人が任意に前記移動通信端末機を使用し得無いようにするという効果がある。
【０００７】
また、前記移動通信端末機の使用者認証カードが変更された時、自動に使用者に前記秘密番号の入力が要請されることで、該入力された秘密番号によって前記移動通信端末機の使用を制限し得るようにする方法もある。このような方法は、前記秘密番号に対する保安性を強化させて前記秘密番号の入力手順を簡素し得るという効果がある。
【０００８】
然るに、このような方法も前記移動通信端末機をブーティングする度にいつも前記秘密番号の入力を必要とし、前記入力された秘密番号と前記使用者認証カードに貯蔵された情報とを組合するためのコードを別途に必要とするという不都合な点があった。
【０００９】
且つ、前記BSに前記移動通信端末機が登録される過程で、該BSにより前記移動通信端末機の使用可否が決定される方法もある。このような方法は、特別な秘密番号の入力などの手順を必要としなく、前記移動通信端末機の使用を可能にするが、前記BSでは、端末機の呼(Call)接続と関連された機能のみを制限するのみがで、前記機能以外の付加機能である電話番号部、メモ、ゲームなどの機能に対する接近を制限し得無いという不都合な点があった。
【発明の開示】
【発明が解決しようとする課題】
【００１０】
然るに、従来の移動通信端末機の使用制限方法にいおいては、使用者により予め設定された秘密番号によって移動通信端末機の使用可否を決定することで、秘密番号の漏出による対応方案が無いため、移動通信端末機の不正使用を防止し得無いという不都合な点があった。
【００１１】
従って、本発明は、使用者認証カードに対応する暗号化値を生成して、該生成された暗号化値に基づいて移動通信端末機の使用可否を決定することで、移動通信端末機の不正使用を防止し得る移動通信端末機の使用制限設定方法を提供することを目的とする。
【課題を解決するための手段】
【００１２】
前記目的を達成するため、本発明に係る移動通信端末機の使用制限設定方法においては、使用者認証カードに対応する暗号化値を生成して該生成された暗号化値に基づいて移動通信端末機の使用可否を決定する段階を包含して構成されることを特徴とする。
【００１３】
また、本発明に係る移動通信端末機の使用制限設定方法においては、使用者認証カードに対応する暗号化値を生成して該生成された暗号化値が登録暗号化値リストにあるかを確認する段階と、前記暗号化値が該登録暗号化値リストに存在することなく、禁止暗号化値リストに無い時、前記暗号化値を前記登録暗号化値リストに貯蔵した後に移動通信端末機を第１ロッキングモード(locking-mode)に設定して紛失端末機の登録メッセージを発信する段階と、該伝送された紛失端末機の登録メッセージに基づいて前記移動通信端末機を第２ロッキングモードに設定するためのメッセージを伝送する段階と、を順次行うことを特徴とする。
【００１４】
また、本発明に係る移動通信端末機の使用制限設定装置においては、受信されたメッセージが紛失端末機の登録メッセージであるかを確認して該確認された紛失端末機の登録メッセージを伝送するSMS(Short  Message  Service)センターと、前記伝送された紛失端末機の登録メッセージと紛失された移動通信端末機の情報に基づいて前記移動通信端末機の使用可否を決定する紛失管理サーバーと、包含して構成されることを特徴とする。
【００１５】
従って、本発明は、以下を提供する。
１．使用者認証カードに対応する暗号化値を生成して該生成された暗号化値に基づいて移動通信端末機の使用可否を決定する段階を包含することを特徴とする移動通信端末機の使用制限設定方法。
２．前記使用者認証カードは、
SIM(Subscriber  Identity  Module)、USIM(Universal  Subscriber  Identity  Module)、UIM(User  Identity  Module)及びRUIM(Removable  User  Identity  Module)カードの中で一つであることを特徴とする項目１記載の移動通信端末機の使用制限設定方法。
３．前記暗号化値は、
前記各使用者認証カードのESN(Electronic  Serial  Number)とIMSI(Internal  Mobile  Station  Identity)値を該当移動通信端末機の固有番号(Serial  Number)に夫々マスクし、該マスクされたESN値、前記マスクされたIMSI値及びチェックサムビットを合算することで生成されることを特徴とする項目１記載の移動通信端末機の使用制限設定方法。
４．使用者認証カードに対応する暗号化値を生成して該生成された暗号化値が登録暗号化値リストにあるかを確認する段階と、
前記暗号化値が前記登録暗号化値リストに存在することなく、禁止暗号化値リストに無い時、前記暗号化値を前記登録暗号化値リストに貯蔵した後に移動通信端末機を第１ロッキングモードに設定して紛失端末機の登録メッセージを発信する段階と、
該伝送された紛失端末機の登録メッセージに基づいて前記移動通信端末機を第２ロッキングモードに設定するためのメッセージを伝送する段階と、を順次行うことを特徴とする移動通信端末機の使用制限設定方法。
５．前記使用者認証カードは、
SIM(Subscriber  Identity  Module)、USIM(Universal  Subscriber  Identity  Module)、UIM(User  Identity  Module)及びRUIM(Removable  User  Identity  Module)カードの中で一つであることを特徴とする項目４記載の移動通信端末機の使用制限設定方法。
６．前記確認する段階は、
前記使用者認証カードのESN(Electronic  Serial  Number)とIMSI(Internal  Mobile  StationIdentity)値を検出して前記移動通信端末機の固有番号(Serial  Number)を検出する段階と、
該検出されたESN値、IMSI値及び固有番号に基づいて前記暗号化値を生成する段階と、を順次行うことを特徴とする項目４記載の移動通信端末機の使用制限設定方法。
７．前記暗号化値は、
前記使用者認証カードのESN値とIMSI値を該当移動通信端末機の固有番号に夫々マスクし、該マスクされたESN値とIMSI値及びチェックサムビットを合算することで生成されることを特徴とする項目６記載の移動通信端末機の使用制限設定方法。
８．前記暗号化値は、
前記移動通信端末機内の臨時暗号化値リスト、登録暗号化値リスト及び禁止暗号化値リストの中で一つに貯蔵されることを特徴とする項目４記載の移動通信端末機の使用制限設定方法。
９．前記確認する段階は、
前記生成された暗号化値が前記登録暗号化値リストにある時、前記使用者認証カードが装着された移動通信端末機が正常的に使われることを特徴とする項目４記載の移動通信端末機の使用制限設定方法。
１０．前記確認する段階は、
前記暗号化値が前記登録暗号化値リストに存在することなく、禁止暗号化値リストにある時、前記移動通信端末機を第２ロッキングモードに設定することを特徴とする項目４記載の移動通信端末機の使用制限設定方法。
１１．前記第１ロッキングモードは、前記使用者認証カードを前記移動通信端末機に登録するための機能のみが可能な状態であって、前記第２ロッキングモードは、前記使用者認証カードが装着された移動通信端末機の全機能を使用し得ない状態を示したことを特徴とする項目１０記載の移動通信端末機の使用制限設定方法。
１２．前記伝送する段階は、
該伝送された紛失端末機の登録メッセージに基づいて前記使用者認証カードのESN値とIMSI値を演算する段階と、
該演算されたESN値とIMSI値とデータベースに予め貯蔵された移動通信端末機の情報に基づいて前記移動通信端末機の紛失可否を判断する段階と、
該判断結果によって前記移動通信端末機の使用可否を決定するメッセージを伝送する段階と、を順次行うことを特徴とする項目４記載の移動通信端末機の使用制限設定方法。
１３．前記紛失端末機の登録メッセージは、
前記移動通信端末機の固有番号及び前記移動通信端末機に装着された使用者認証カードに対応する暗号化値を包含することを特徴とする項目１２記載の移動通信端末機の使用制限設定方法。
１４．前記伝送する段階は、
前記移動通信端末機が紛失された時、前記移動通信端末機を第２ロッキングモードに設定するようにするメッセージを伝送し、前記移動通信端末機が紛失されなかった時に該移動通信端末機の全機能を使わせるメッセージを伝送することを特徴とする項目１２記載の移動通信端末機の使用制限設定方法。
１５．受信されたメッセージが紛失端末機の登録メッセージであるかを確認して該確認された紛失端末機の登録メッセージを伝送するSMS(Short  Message  Service)センターと、
前記伝送された紛失端末機の登録メッセージと紛失された移動通信端末機の情報に基づいて前記移動通信端末機の使用可否を決定する紛失管理サーバーと、を包含して構成されることを特徴とする移動通信端末機の使用制限設定装置。
１６．前記紛失端末機の登録メッセージを発信する使用者認証カードが装着された移動通信端末機を更に包含して構成されることを特徴とする項目１５記載の移動通信端末機の使用制限設定装置。
１７．前記紛失端末機の登録メッセージは、
前記移動通信端末機の固有番号及び前記移動通信端末機に装着された使用者認証カードに対応する暗号化値を包含して構成されることを特徴とする項目１６記載の移動通信端末機の使用制限設定方法。
１８．前記使用者認証カードは、
SIM(Subscriber  Identity  Module)、USIM(Universal  Subscriber  Identity  Module)、UIM(User  Identity  Module)及びRUIM(Removable  User  Identity  Module)カードの中で一つであることを特徴とする項目１７記載の移動通信端末機の使用制限設定方法。
１９．前記紛失管理サーバーは、
前記紛失された移動通信端末機の情報を貯蔵するデータベースを包含して構成されることを特徴とする項目１５記載の移動通信端末機の使用制限設定方法。
【発明の効果】
【００１６】
以上、説明したように、本発明に係る移動通信端末機の使用制限設定方法においては、使用者認証カードに対応する暗号化値を生成して該生成された暗号化値に基づいて移動通信端末機の使用可否を決定することで、移動通信端末機の不正使用を防止し得るという効果がある。
【発明を実施するための最良の形態】
【００１７】
以下、使用者認証カードに対応する暗号化値を生成して該生成された暗号化値に基づいて移動通信端末機の使用可否を決定することで、移動通信端末機の不正使用を防止し得る本発明に係る移動通信端末機の使用制限設定方法の好ましい実施形態に対し、図面を用いて説明する。また、本発明の実施形態に係る移動通信端末機の使用制限設定方法は、SIM(Subscriber  Identity  Module)、USIM(Universal  Subscriber  Identity  Module)、UIM(UserIdentity  Module)及びRUIM(Removable  User  Identity  Module)などを使用する移動通信端末機の全てに適用することができる。
【００１８】
本発明に係る移動通信端末機の使用制限設定方法においては、図１に示したように、移動通信端末機に装着されたUIMカードからESN(Electronic  Serial  Number)値とIMSI(Internal  Mobile  Station  Identity)値を検出し、前記移動通信端末機から固有番号(Serial  Number)を検出することで、該検出されたESN値、IMSI値及び固有番号に基づいてUIMカードに対応する暗号化値を生成する段階(S11)と、該生成された暗号化値が登録暗号化値リストにあるかを確認する段階(S12)と、前記暗号化値が登録暗号化値リストに無い時、前記暗号化値が禁止暗号化値リストにあるかを確認する段階(S14)と、前記暗号化値が禁止暗号化値リストに無い時、該暗号化値を臨時暗号化値リストに貯蔵した後に前記移動通信端末機の機能を第１ロッキングモードに設定する段階(S16)と、前記第１ロッキングモードに設定された移動通信端末機が移動通信システムに紛失端末機の登録メッセージを発信する段階(S17)と、該移動通信システムが前記発信された紛失端末機の登録メッセージに基づいて移動通信端末機の紛失可否を判断する段階(S18)と、前記移動通信端末機が紛失された時、前記移動通信端末機の機能を第２ロッキングモードに設定する段階(S15)と、を順次行う。ここで、前記生成された暗号化値が登録暗号化値リストにあるか、又は前記移動通信端末機が紛失されなかった時、該移動通信端末機は正常的に全ての機能が使われる段階が遂行される(S13)。
【００１９】
以下、このように構成される本発明に係る移動通信端末機の使用制限設定方法に対し、説明する。
【００２０】
先ず、使用者は、使用しようとする移動通信端末機を利用してUIMカードを移動通信端末機に登録する。即ち、前記UIMカードに対応される暗号化値が生成され、該生成された暗号化値が前記移動通信端末機に貯蔵されるが、このようなUIMカードを前記移動通信端末機に登録する方法に対し、図２を用いて説明する。
【００２１】
図２は、本発明に係る使用者認証カードの登録方法を示したフローチャートである。
【００２２】
本発明に係る使用者認証カードの登録方法においては、前記UIMカードからESN、IMSI値を検出し、前記移動通信端末機から固有番号(Serial  Number)を検出する段階(S21)と、該検出されたESN値、IMSI値及び固有番号に基づいて前記UIMカードに対応する暗号化値を生成する段階(S22)と、該生成された暗号化値が前記登録暗号化値リストにあるかを確認する段階(S23)と、前記暗号化値が前記登録暗号化値リストに無い時、前記暗号化値を前記登録暗号化値リストに貯蔵する段階(S25)と、を順次行う。ここで、前記暗号化値が前記登録された暗号化値リストにある時、既に登録されていることを知らせるメッセージがディスプレイされる段階を遂行する(S24)。
【００２３】
以下、このように構成される本発明に係るUIMカードの登録方法に対し、説明する。
【００２４】
先ず、使用者は、前記移動通信端末機に前記UIMカードを装着した後、該UIMカードを登録するための機能を選択する。
【００２５】
前記移動通信端末機は、前記UIMカードからESN値とIMSI値を検出して、前記移動通信端末機の固有番号を検出することで(S21)、該検出されたESN値、IMSI値及び固有番号に基づいて前記UIMカードに対応する暗号化値を生成する(S22)。ここで、前記移動通信端末機の自体には、前記UIMカードの主要情報(例えば、ESN及びIMSI）を貯蔵し得なくなっているため、該UIMカードを区分し得るように暗号化アルゴリズムを利用して生成された暗号化値を貯蔵する。このような暗号化値は、前記使用者認証カードのESN(Electronic  Serial  Number)値とIMSI(Internal  Mobile  Station  Identity)値を該当移動通信端末機の固有番号(Serial  Number)に夫々マスク(Mask)し、該マスクされたESN値、IMSI値及びチェックサム(Checksum)ビットを合算することで生成される値を意味する。また、前記移動通信端末機は、前記UIMカードの登録がいくつかのUIMカードを用いても利用し得るため、夫々のUIMカードに対する暗号化値を夫々C１、C２、．．．、Cnに生成して貯蔵することができる。
【００２６】
前記移動通信端末機は、前記生成された暗号値が前記登録暗号化値リストにあるかを確認する(S231)。即ち、前記移動通信端末機は、前記暗号化値が前記登録暗号化値リストにある時に前記UIMカードが既に登録されていることを使用者に知らせて(S24)、前記暗号化値が前記登録暗号化値リストに無い時に前記暗号化値が前記臨時暗号化値リストにあるかを確認する(S232)。
【００２７】
前記移動通信端末機は、前記暗号化値が前記臨時暗号化値リストにある時に前記暗号化値を前記臨時暗号化値リストから削除して(S232)前記登録暗号化値リストに貯蔵し(S25)、前記暗号化値が前記臨時暗号化値リストに無い時に前記暗号化値が前記禁止暗号化値リストにあるかを確認する(S234)。
【００２８】
前記移動通信端末機は、前記暗号化値が前記禁止暗号化値リストにある時に前記暗号化値を前記禁止暗号化値リストから削除して(S235)前記登録暗号化値リストに貯蔵し(S25)、前記暗号化値が前記禁止暗号化値リストに無い時に前記暗号化値を前記登録暗号化値リストに貯蔵する(S25)。
【００２９】
従って、前記移動通信端末機は、前記ESN、IMSI及び固有番号に基づいて生成された暗号化値を前記登録暗号化値リストに登録することで、該暗号化値が登録されたUIMカードを用いて正常的に全ての機能を使うことができる。
【００３０】
次いで、前記UIMカードが装着された移動通信端末機がブーティングされる時、該移動通信端末機は、常に前記UIMカードに対応する暗号化値を生成して(S11)該生成された暗号化値と、前記移動通信端末機の登録暗号化値リストに貯蔵された暗号化値C１、C２、．．．、Cnと、を比較する(S12)。即ち、前記移動通信端末機は、前記生成された暗号化値が前記登録暗号化値リストにある時、前記移動通信端末機の全機能を正常的に使用し得るし(S13)、該生成された暗号化値が前記登録暗号化値リストに無い時、前記暗号化値が前記禁止暗号化値リストにあるかを確認する(S14)。
【００３１】
前記移動通信端末機は、前記暗号化値が前記禁止暗号化値リストにある時に前記移動通信端末機を第２ロッキングモードに設定し(S15)、前記暗号化値が前記禁止暗号化値リストに無い時に前記暗号化値を前記臨時暗号化値リストに貯蔵した後に前記移動通信端末機を前記第１ロッキングモードに設定する(S16)。ここで、前記第１ロッキングモードは、前記移動通信端末機の一部機能であるUIMカードの登録機能のみが許容される状態を意味し、前記第２ロッキングモードは、前記移動通信端末機の全機能を使用し得ない状態を意味する。
【００３２】
次いで、前記移動通信端末機は、前記BSに紛失端末機の登録メッセージを発信することで(S17)、前記SMSセンターは、前記BSから前記紛失端末機の登録メッセージを受信し、該受信された紛失端末機の登録メッセージを紛失端末機管理サーバーに伝送する。前記紛失端末機管理サーバーは、前記紛失端末機の登録メッセージに包含された暗号化値に基づいて前記UIMカードのESN、IMSI値を逆に演算することで、前記紛失端末機管理サーバーは、前記演算されたUIMカードのESN、IMSI値とデータベース(Data  Base)に登録された紛失端末機情報との一致可否を確認して前記移動通信端末機が紛失された端末機であるかを判断する(S18)。
【００３３】
この時、前記移動通信端末機は、前記暗号化値を前記臨時暗号化値リストに予め設定された期間(例えば、１週間)の間に貯蔵して前記予め設定された期間内に前記紛失端末機管理サーバーから移動通信端末機の使用を制限するメッセージが受信されない時、自動に前記暗号化値を前記登録暗号化値リストに貯蔵する。
【００３４】
前記移動通信端末機が紛失された時、該紛失端末機サーバーは、前記BSを通って前記移動通信端末機の第２ロッキングモード設定を知らせるメッセージを伝送することで、前記暗号化値を前記禁止暗号化値リストに貯蔵した後に前記移動通信端末機が前記第２ロッキングモードに設定され(S15)、前記移動通信端末機が紛失されなかった時、前記移動通信端末機の全ての機能を正常的に使用し得る(S13)。
【００３５】
このようにUIMカードが装着された移動通信端末機が紛失された端末機に判断される時、前記移動通信端末機と移動通信システム間の移動通信端末機の使用制限設定のためのメッセージの送信/受信過程に対し、図３を用いて説明する。
【００３６】
前記移動通信端末機は、図３に示したように、前記UIMカードに対応する暗号値が前記登録暗号化値リスト及び前記禁止暗号化値リストに無い時、前記暗号化値と前記移動通信端末機の固有番号を包含するメッセージを前記BSに発信する。
【００３７】
次いで、前記BSは、前記移動通信端末機からメッセージを受信して該受信されたメッセージを前記SMS(Short  Message  Service;SMS)センターに伝送することで、該SMSセンターは、前記伝送されたメッセージが紛失端末機の登録メッセージであるかを確認して前記メッセージを前記紛失管理サーバーに伝送する。
【００３８】
該紛失管理サーバーは、前記伝送されたメッセージからESN値とIMSI値を検出することで、紛失された移動通信端末機の情報が貯蔵された前記データベースに基づいて前記移動通信端末機の紛失可否を判断する。
【００３９】
従って、前記紛失管理サーバーは、前記紛失された移動通信端末機の全機能の使用を制限するためのメッセージを前記移動通信端末機に伝送することで、前記移動通信端末機は、前記伝送されたメッセージによって前記第２ロッキングモードを設定するため、全ての機能の使用が制限される。
【００４０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許、特許出願および文献は、その内容自体が具体的に本明細書に記載されているのと同様にその内容が本明細書に対する参考として援用されるべきであることが理解される。
【図面の簡単な説明】
【００４１】
【図１】本発明に係る移動通信端末機の使用制限設定方法を示したフローチャートである。
【図２】本発明に係る使用者認証カードの登録方法を示したフローチャートである。
【図３】本発明に係る移動通信端末機の使用制限設定のためのメッセージの送信/受信過程を概略的に示した図面である。
【図１】
2005223900.tif 000003
【図２】
2005223900.tif 000004
【図３】
2005223900.tif 000005